(57)【特許請求の範囲】
【請求項１】
支柱３に昇降可能に装着されるドリルヘッド４を有するコアドリルにおいて、前記ドリルヘッド４を支柱３に昇降可能に支持するクランプ部２０は、該支柱３を囲むドリルヘッド４側のクランプ本体２０ａとこれに組み合わされるクランプカバー２０ｂとから構成され、クランプ本体２０ａにはドリルヘッド４側である支柱３の前側に当接するローラ２３を軸支するとともに、クランプカバー２０ｂには、当該クランプカバー２０ｂに形成した溝に、支柱３の後側に当接する回転自在なローラ２４を取り付けたローラアセンブリシャフト２５を嵌入し、該ローラアセンブリシャフト２５を調整ねじ２７によって支柱３側へ押し出し可能に設けてなるものであって、前記クランプカバー２０ｂの支柱３側には板ばね部材２９が固定されており、前記ローラアセンブリシャフト２５は、該板ばね部材２９に抗して支柱３側へ押し出されることを特徴とするコアドリル。
【請求項２】
前記ローラ２４が支柱３の後側に当接するに際し、ローラアセンブリシャフト２５は、板ばね部材２９、クランプカバー２０ｂに形成した溝内面、調整ねじ２７により３点でクランプカバー２０ｂに保持されることを特徴とする請求項１記載のコアドリル。
【請求項３】
前記板ばね部材２９は、ローラアセンブリシャフト２５を調整ねじ２７により支柱３側へ押し出す方向に対し、上方又は下方から該ローラアセンブリシャフト２５に当接することを特徴とする請求項１又は2記載のコアドリル。
【発明の詳細な説明】
【技術分野】
【０００１】
本発明は、コンクリート構造物、アスファルト、ブロック、石材、岩石等（本明細書では、これらを単に「コンクリート構造物等」という）へ穿孔を行う際に用いるコアドリルに関する。
【背景技術】
【０００２】
コアドリルは、図１に示すように、ベース１と、ベース１より立設され一側にラック２を縦設した支柱３と、支柱３に昇降可能に装着され内部に上記ラック２と噛合するピニオンを備えたドリルヘッド４と、ドリルヘッド４の出力軸５に着脱可能に取着されるコアビット６と、ドリルヘッド４に設けられコアビット６を回転駆動させる減速機付きモータ７と、上記ピニオンの軸と一体をなす軸部８に径方向にスライド可能に取着され、ピニオンを回転操作するためのハンドル９とよりなっており、コンクリート構造物等への穿孔時においては、通常、ベース１をコンクリート構造物等にアンカーボルト等によって固定した後、モータ７を駆動しコアビット６を回転させながらハンドル９を操作して当該コアビット６をコンクリート構造物等へ押付け、ついでハンドル９を押えて推力を与えながら穿孔を行うようになっている。
【０００３】
前記ドリルヘッド４は、支柱３に対しクランプ部２０で昇降可能に支持されるものであるが、当該クランプ部２０には支柱３との間に設けられた隙間を調整するためローラを組み込むことが従来から行われている。（特許文献１参照。）
図２は、図１のＡ−Ａ断面に対応するもので、特許文献１に記載されたクランプ部の構造を示すものである。
【０００４】
図２に記載のクランプ部２０は、支柱３を囲むドリルヘッド４側のクランプ本体２０ａとこれに組み合わされるクランプカバー２０ｂとからなるものであり、クランプ本体２０ａの上下部にはドリルヘッド４側である支柱３の前側に当接する回転自在のローラ２３をそれぞれ左右に軸支し、クランプカバー２０ｂの上下部には、当該クランプカバー２０ｂに形成した溝に、支柱３の後側に当接する回転自在のローラ２４を左右に取り付けたローラアセンブリシャフト２５を嵌入し、該ローラアセンブリシャフト２５を調整ねじ２７によって支柱３側へ押し出し可能に設けてなるものである。
【０００５】
このようなクランプ部２０の構造は、モータ７及びコアビット６の荷重がかかる支柱３の前後面をローラ２３，２４で支承するものであり、クランプ部２０における支柱３の前後面との間の間隙を、ローラアセンブリシャフト２５の押し出しにより微調整可能なものであるため、クランプ部２０におけるころがり摩擦によってドリルヘッド４の支柱３に対する円滑な上下移動及び容易な抜き差しを可能とするものである。  
【特許文献１】実開昭６３−１３３９１７号公報
【発明の開示】
【発明が解決しようとする課題】
【０００６】
図３は、従来のクランプカバー２０ｂに形成された溝内におけるローラアセンブリシャフト２５の状態を示す断面図である。なお、図３は図２のものと若干構造が異なるものを示している。
【０００７】
図３に示すように、従来のクランプ部は、ローラアセンブリシャフト２５を嵌入するクランプカバー２０ｂの溝が、該シャフト２５に対し溝幅に余裕を持たせたものとなっており、当該溝内においてローラアセンブリシャフト２５が前後上下に移動可能なものとなっている。
【０００８】
このようなクランプ部の構造によれば、クランプ部２０における支柱３との間の隙間をがたつきなく調整した後であっても、一旦クランプ部２０を支柱３から抜き取ってしまうと、ローラアセンブリシャフト２５が前記溝内を前後上下に移動してしまい、クランプ部２０を再び支柱３に差し込んだ際に前記調整ねじ２７の先端が平面でないことと相俟ってローラアセンブリシャフト２５と調整ねじ２７先端との位置関係が変化し、改めて前記隙間を調整し直す必要がある。
【０００９】
このクランプ部２０における支柱３の前後面との間の間隙の調整作業を負担に感じる作業者は、当該隙間を生じさせたまま穴あけ作業を行うこととなるが、その場合、支柱３とコアビット６との平行度を維持できずセリなどが発生し穴あけに時間がかかったり、穴のずれや曲がりが生じるなど、作業効率や作業精度の低いものとなる。
【００１０】
また、上記従来のクランプ部の構造は、ローラアセンブリシャフト２５がクランプ本体２０ａとクランプカバー２０ｂの間で前後上下に自由に動く状態であるため、クランプ部２０を組み立てる際や修理時に分解する際に、当該ローラアセンブリシャフト２５がクランプカバー２０ｂから脱落するおそれがあり、作業が困難なものとなっている。
【００１１】
そこで、本発明は、上記従来の課題を解決できるコアドリルを提供することを目的とする。
【課題を解決するための手段】
【００１２】
前記目的を達成するため、本発明は、支柱３に昇降可能に装着されるドリルヘッド４を有するコアドリルにおいて、前記ドリルヘッド４を支柱３に昇降可能に支持するクランプ部２０が、該支柱３を囲むドリルヘッド４側のクランプ本体２０ａとこれに組み合わされるクランプカバー２０ｂとから構成され、クランプ本体２０ａにはドリルヘッド４側である支柱３の前側に当接するローラ２３を軸支するとともに、クランプカバー２０ｂには、当該クランプカバー２０ｂに形成した溝に、支柱３の後側に当接する回転自在なローラ２４を取り付けたローラアセンブリシャフト２５を嵌入し、該ローラアセンブリシャフト２５を調整ねじ２７によって支柱３側へ押し出し可能に設けてなるものであって、前記クランプカバー２０ｂの支柱３側には板ばね部材２９が固定されており、前記ローラアセンブリシャフト２５は、該板ばね部材２９に抗して支柱３側へ押し出されるものである。
【００１３】
また、前記ローラ２４が支柱３の後側に当接するに際し、ローラアセンブリシャフト２５は、板ばね部材２９、クランプカバー２０ｂに形成した溝内面、調整ねじ２７により３点でクランプカバー２０ｂに保持されるものである。
【００１４】
さらに、前記板ばね部材２９は、ローラアセンブリシャフト２５を調整ねじ２７により支柱３側へ押し出す方向に対し、上方又は下方から該ローラアセンブリシャフト２５に当接するものである。
【発明の効果】
【００１５】
本発明は、ローラアセンブリシャフト２５がクランプカバー２０ｂに固定された板ばね部材２９に抗して支柱３側へ押し出されるものであって、クランプ部２０における支柱３との間の隙間を調整した後は、ローラアセンブリシャフト２５はクランプカバー２０ｂに保持された状態となっているため、該クランプ部２０を支柱３から抜き取ってもクランプカバー２０ｂに対するローラアセンブリシャフト２５の位置は変化しない。
【００１６】
したがって、一旦抜き取ったクランプ部２０を再度支柱３に差し込んだ後も抜き取る前の状態に復元でき、抜き差しの度に前記隙間を調整し直す作業が不要となり、効率よく精度のよい穴あけ作業を安定して行うことができる。
【００１７】
特に、長尺穴をあける時には、クランプ部２０における支柱３とのガタツキを極力小さくしなければ、途中でセリが生じコアビット６が切り進んで行かなくなるおそれがあるが、本発明によればそのようなおそれはない。
【００１８】
また、刃物の継足し作業や、コンクリートコアの抜き取り作業などで、ドリルヘッド４のクランプ部２０を支柱３から頻繁に抜き取ることがあるが、本発明によれば再度の隙間調整は不要であり、本発明は非常に実用性の高いものである。
【００１９】
さらに、本発明は、クランプカバー２０ｂの支柱３側には板ばね部材２９が固定されたものであるため、分解の際にローラアセンブリシャフト２５がクランプカバー２０ｂに形成した溝から脱落せず、クランプ部２０の分解作業が容易に行える。また、クランプ部２０の組み立ての際も、事前にローラアセンブリシャフト２５をクランプカバー２０ｂに脱落しないよう組み付けておくことができ、クランプ本体２０ａにクランプカバー２０ｂを組み付ける際にローラアセンブリシャフト２５がクランプカバ−２０ｂから脱落、逸脱することがなく、組み立てが容易に行えるものである。
【００２０】
ローラ２４が支柱３の後側に当接するに際し、ローラアセンブリシャフト２５が、板ばね部材２９、クランプカバー２０ｂに形成した溝内面、調整ねじ２７により３点でクランプカバー２０ｂに保持されるものであれば、クランプ部２０における支柱３との間の隙間を調整した後は、クランプカバー２０ｂに対するローラアセンブリシャフト２５の位置が確実に維持される。
【００２１】
板ばね部材２９が、ローラアセンブリシャフト２５を調整ねじ２７により支柱３側へ押し出す方向に対し、上方又は下方から該ローラアセンブリシャフト２５に当接するものであれば、調整ねじ２７により支柱３側へ押し出されるローラアセンブリシャフト２５は、クランプカバー２０ｂに対し、板ばね部材２９、クランプカバー２０ｂに形成した溝内面、調整ねじ２７により３点で保持されるものとなり、クランプカバー２０ｂに対するローラアセンブリシャフト２５の位置を確実に維持することができる。
【発明を実施するための最良の形態】
【００２２】
本発明の実施の形態を図面に基づいて説明する。
【００２３】
本発明におけるコアドリルの基本構成は、図1に示すものと同様であり、ここでの説明は省略する。
【００２４】
本発明は、図２に示される、ドリルヘッド４を支柱３に対し昇降可能に支持するクランプ部２０の改良にかかるものである。
【００２５】
図４は、支柱３に後側から当接するローラ２４を左右に取り付けたローラアセンブリシャフト２５を、クランプカバー２０ｂに形成した溝に嵌入させた状態を示す斜視図、図５は、図３に対応する本発明のクランプ部断面図、をそれぞれ示すものである。
【００２６】
本発明の実施形態は、クランプカバー２０ｂの支柱３側に板ばね２９を固定してなるものであり、該板ばね２９がクランプカバー２０ｂに形成した溝に嵌入されるローラアセンブリシャフト２５の支柱３側に位置するものである。
【００２７】
また、クランプカバー２０ｂに形成した溝に嵌入されるローラアセンブリシャフト２５は、従来同様調整ねじ２７によって支柱３側に押し出し可能なものとされている。
【００２８】
本発明の実施形態によれば、クランプカバー２０ｂに形成した溝に嵌入されるローラアセンブリシャフト２５は、板ばね２９によって該溝から脱落しないように支持される。
【００２９】
また、クランプ部２０における支柱３との間の隙間を調整する際は、ローラアセンブリシャフト２５を板ばね２９に抗して支柱３側へ押し出すこととなり、前記隙間が調整された後は、ローラアセンブリシャフト２５は少なくとも板ばね２９と調整ねじ２７によってクランプカバー２０ｂに保持された状態となっており、クランプ部２０を支柱３から抜き取ってもクランプカバー２０ｂに対するローラアセンブリシャフト２５の位置は変化しない。
【００３０】
なお、前記板ばね２９は、ローラアセンブリシャフト２５を調整ねじ２７により支柱３側へ押し出す際に該ローラアセンブリシャフト２５の動きに追従し、当該押し出し動作を妨げるものでないことはいうまでもない。
【００３１】
本発明の実施形態は、板ばね２９を、ローラアセンブリシャフト２５を調整ねじ２７により支柱３側へ押し出す方向に対し、上方又は下方から該ローラアセンブリシャフト２５に当接するようクランプカバー２０ｂに対し固定すれば、図６に示すように、ローラアセンブリシャフト２５は、板ばね２９、クランクカバー２０ｂの溝内面、調整ねじ２７の先端の３点で保持されるものとなり、クランプカバー２０ｂにおけるローラアセンブリシャフトの保持が安定したものとなる。
【００３２】
本発明の実施形態では、板ばね２９は、下方がクランプカバー２０ｂに固定されているが、上方がクランプカバー２０ｂに固定されていてもよい。また、板ばね２９の形態やクランプカバー２０ｂへの取り付け構造は、本発明の範囲内で任意に変更できるものであることはいうまでもない。
【産業上の利用可能性】
【００３３】
本発明は、コンクリート構造物等へ穿孔を行う際に用いるコアドリルに好適である。
【図面の簡単な説明】
【００３４】
【図１】コアドリルの正面図。
【図２】図１のＡ−Ａ断面に対応する従来のクランプ部の構造を示す図。
【図３】従来のクランプ部断面図。
【図４】本発明のクランプカバーの斜視図。
【図５】本発明のクランプ部断面図。
【図６】本発明のクランプ部におけるローラアセンブリシャフトの保持状態を示す図。
【符号の説明】
【００３５】
３・・・支柱
４・・・ドリルヘッド
６・・・コアビット
２０・・・クランプ部
２０ａ・・・クランプ本体
２０ｂ・・・クランプカバー
２３・・・ローラ
２４・・・ローラ
２５・・・ローラアセンブリシャフト
２７・・・調整ねじ
２９・・・板ばね
【図１】
0005142832.tif 000002
【図２】
0005142832.tif 000003
【図３】
0005142832.tif 000004
【図４】
0005142832.tif 000005
【図５】
0005142832.tif 000006
【図６】
0005142832.tif 000007